(57)【要約】【課題】  軽量で機械的強度に優れ、刃物の突き刺しによる攻撃に対して、防護楯本体で刃物を一時的に保持し取り上げることが可能な防護楯を提供することを目的とする。【解決手段】  持ち手２の付いた防護板１と金網状の刃物保持部８の間に隙間５を設けることにより刃物１２を突き刺そうとした場合に、刃物１２がクサビ状となり鋏まれて抜け難くなる。従って犯人による刃物１２の攻撃に対して一時的に攻撃を中断させたり、刃物１２を保持した犯人の腕を捻るように防護楯を操作することで、今まで以上に安全に刃物１２を取り上げることが可能となる。【選択図】図４
2005090930.tif 000002
【特許請求の範囲】
【請求項１】
刃物に対する板状の防護板を有する楯であり、楯を把持するための持ち手が内側の面に装着され、外側の面に刃物を滑り込ませるための０．１ｍｍから１０ｍｍの隙間とその刃物を一時的に保持するための金属製の網状、格子状もしくは穴のあいた板状の刃物保持部が装着され一体化されていることを特徴とする防護楯。
【請求項２】
前記金属製の網状もしくは格子状の刃物保持部が、直径１ｍｍ以上の１０ｍｍ以下の炭素鋼、ステンレス鋼、チタンまたはチタン合金の丸棒もしくは撚られたワイヤーから作られていることを特徴とする請求項１記載の防護楯。
【請求項３】
前記金属製の板状の刃物保持部が、厚み１ｍｍ以上５ｍｍ以下の炭素鋼、ステンレス鋼、チタンまたはチタン合金の板を、互いに接する穴が最低２ｍｍ以上の２５ｍｍ以下の間隔をもって直径が２０ｍｍ以上の丸状、長丸状、一辺が１５ｍｍ以上の３角形状、４角形状、５角形状、６角形状に抜かれていることを特徴とする防護楯。
【請求項４】
前記防護板及び刃物保持部が内側に曲げられていることを特徴とする請求項１〜３記載の防護楯。
【請求項５】
前記防護板及び刃物保持部が外側に曲げられていることを特徴とする請求項１〜３記載の防護楯。
【請求項６】
前記防護板と刃物保持部の隙間部において、防護板側が鏡面仕上げ、もしくはアルミ蒸着された鏡面状又はマジックミラー状のフイルムが貼られていることを特徴とする請求項１〜５記載の防護楯。
【請求項７】
前記防護板面と刃物保持部の空間部を埋めるように軟質のゴムやシリコンゴム、もしくはウレタンやポリエチレンを含む軟質の発泡体が配置されていることを特徴とする請求項１〜６記載の防護楯。
【請求項８】
前記防護板の材質が、厚みが３ｍｍ以上のポリカーボネイト、ポリカーボネイトとアクリルやＰＥＴフイルムを貼り合わせたもの、繊維強化プラスティック、ステンレス、アルミもしくはアルミ合金、チタンもしくはチタン合金であることを特徴とする請求項１〜７記載の防護楯。
【請求項９】
前記防護楯の任意の外周部に防護板及び刃物保持部を包み込むように弾性体の持ち手が設けられていることを特徴とする防護楯。
【発明の詳細な説明】
【技術分野】
【０００１】  本発明は、警察官が刃物を持つ凶悪な犯人から人体を防護するための楯に関するものである。
【背景技術】
【０００２】  防護楯は刃物の突き刺しや角材、鉄パイプ等の殴打に耐えうる軽量な素材、つまりポリカーボネイトやジュラルミン製のものが一般的であり持ち手が複数個設けられていて、それらを保持することにより、相手からの攻撃に対処するようになっている。【０００３】  防護楯を使用する理由としては、耐刃防護衣やヘルメットを装着したとしても、首部、腕部、下半身部まではカバーすることが出来ず、投石や暗がりの中に潜む犯人からの攻撃に対処することが出来ないため、防護楯を用いて広い面積を防護するようにしている。
【発明の開示】
【発明が解決しようとする課題】
【０００４】  しかしながら上記従来の防護楯では満足できるものではなかった。
即ち例えば刃物を振りかざす犯人に対して、刃物の攻撃からの防護が出来てもその刃物を取り上げたりする場合には、片手で楯を保持しながらもう一方の手で相手の人体を掴んでから刃物等の武器を取り上げるという危険な行動を執らなければならなかった。【０００５】  また犯人が人質を取っているような場合には、人質に危害が及ぶ危険性が高いため、即座に犯人から刃物を取り上げることが出来るような安全な方法が求められていた。
【課題を解決するための手段】
【０００６】  本発明に係る防護楯は刃物に対する板状の防護板を有する楯であり、楯を把持するための持ち手が内側の面に装着され、外側の面に刃物を滑り込ませるための０．１ｍｍから１０ｍｍの隙間とその刃物を一時的に保持するための金属製の網状、格子状もしくは穴のあいた板状の刃物保持部が装着され一体化されていることを要旨とする。【０００７】  例えば刃物の突きや振り下ろしに対して楯に使用される素材は、外的応力に十分耐え得るだけの機械的強度が要求される。【０００８】  この点において本発明の防護楯は、ポリカーボネイト製の防護板の外側に隙間もしくは隙間を軟質素材で埋めたものを設け、さらに機械的強度の高い金属製の刃物保持部を設けているから、刃物保持部に刃物が接触した場合、刃物が折れたり、欠けたりするような損傷を与えることが出来るのであるが、最大の特徴は刃物保持部が網状であり防護板との間に隙間があるため刃物がその隙間の中に入り込み、刃物保持部の金属が応力に対して塑性変形を起こす、つまり刃物によるクサビを打ち込んだ状態が発生するため、刃物を強固に鋏んだ状態で保持することが出来るため、刃先を曲げたり、折ったり、犯人の手から刃物を取り上げることが容易に出来るのである。【０００９】  尚、必要な強度を発揮し防護楯としての操作性を高めるためには軽量でなくてはならず、上記ポリカーボネイト製の防護板の厚みは５ｍｍが好ましく、刃物保持部との隙間は刃物を入り込ませようとした場合には大きいほど良いが余り隙間が開きすぎると刃物に対する保持力が低下するので２ｍｍから４ｍｍが好ましく、刃物保持部は硬度と剛性のあるベータチタンの２ｍｍの厚みの板から３ｍｍの間隔で一辺が２０ｍｍから３０ｍｍのハニカム状に打ち抜いたものが好ましいのであるが、コストや使用条件に応じて適宜板厚や材質を設定することが望ましい。【００１０】  加えて上記刃物保持部の外側を鏡面仕上げにし、透明なポリカーボネイト製防護板にマジックミラー状のフイルムを貼ることで、犯人の動きが確認出来ることと、犯人側からは楯が鏡となり、固定された鏡でないため、つまり手で保持しているのと犯人に対して何等かのアクションを起こしているので、鏡が常時動いたり揺れたりするので距離感がつかみ難かったりするのである。【００１１】  しかしながらときには刃物による攻撃だけでなく、重量のある鈍器による攻撃からも身をまもらなければならず、そのような場合には防護面の内側中央に配置した持ち手だけを持って保持するにはバランスが悪く危険であり、そのために楯の外周縁部の四方にゴム製の波状もしくは滑り止めが施された縁部持ち手を設けることにより保持力の向上が図れるのである。【００１２】  更に本発明の防護楯は全体に必要な隙間を設けるために円筒形のスペーサーを固定するための固定ビスの部分に配置し、金属製の刃物保持部を一体化しているのであるが、端部には隙間が必要ないので防護板まで内側に折り曲げたり、犯人を負傷させてはならないので外周に弾性体の縁巻きカバーを取り付けたり、隙間部分から刃物保持部をオーバーラップするように軟質の隙間用発泡ゴムを取り付けても良い。
【本発明の効果】
【００１３】  本発明に係る防護楯によれば、単純な構造で実現できるとともに、軽量で安全な操作を行うことができるという優れた効果を奏する。
【発明を実施するための最良の形態】
【００１４】  図１〜図６は本発明を具体化した第一実施形態の防護楯及び防護メカニズムを示している。この防護楯は、防護板の外側に刃物を滑り込ませるための隙間とその刃物を一時的に保持するための金属製の刃物保持部が装着され一体化されている。
本例では、防護楯本体中央にビス７を用いて持ち手２、防護板１、スペーサー６、刃物保持部８を固定するような構造で、さらに周囲もビス３を用いて縁部持ち手４、防護板１、スペーサー６、刃物保持部８を固定するようにしてある。【００１５】  次に、図３及び図４を参照しながら、本発明の防護楯の防護メカニズムについて説明する。
（１）図３はハニカム状にくりぬかれた刃物保持部８に設けられた刃物保持部空間１４の部分から刃物１２の刃先１３が隙間５に入ろうとしている。【００１６】（２）図４は防護板１と刃物保持部８に接触しながら抵抗を受けつつ隙間５を刃先１３が進んで行く状態を表したもので、クサビを打つような状態で刃物１２が鋏まれて停止するため、警察官が刃物１２に直接手を触れることなく安全に受け止めることが出来るのである。
＜実施例１＞【００１７】  図１は本発明の実施例１に係る防護楯を示す断面図である。
持ち手２が付けられた、厚み５ｍｍのポリカーボネイト製の防護板１に厚さ４０ミクロンのアルミ蒸着されたフイルム１０が貼られ、２ｍｍの隙間５を空けて板厚３ｍｍのステンレス製刃物保持部８が取り付けられており、端部にはそれらを包み込むように縁巻きゴ厶９と縁部持ち手４ビスによって強固に取り付けられている。
この様な構成で組み立てられた防護楯の持ち手部分２を保持して防護を行う。【００１８】  図３〜図４はこの楯による刃物１２に対する防護メカニズムをあらわした図で刃物１２でこの楯を突き刺そうとした場合、先ず刃物保持部８の一辺が２５ｍｍにくり貫かれた刃物保持部空間１４を通過して、ポリカーボネイト製の防護板１を傷つけながら隙間５の中に滑って入り込み、犯人が刃物１２を抜こうとしても防護板１と刃物保持部８に鋏まれた刃物１２を抜き取ることが非常に困難であり、楯本体を手前に引いたり角度を変えることで犯人から容易に刃物を引き離す事が出来るのと、刃先を曲げたり、折ったりして刃物の突き刺し性を低下させる事が可能となる。
次に本発明に係る防護楯に対して行った試験について説明する。
［突き刺し試験］【００１９】  図５は突き刺し試験装置を示す断面図である。  縦、横のサイズがそれぞれ３００ｍｍの本発明の楯の持ち手部分２をチャック１５で固定し１５度、３０度、４５度、６０度、９０度のそれぞれの角度に固定して、刃渡り１８ｃｍの刃物（牛刀）１２（最大刃厚み６ｍｍ、最大刃高５０ｍｍ）をホルダー１７にセットして、刃先が必ずハニカム状にくり抜かれた一辺が２５ｍｍ、厚み２ｍｍのステンレス製刃物保持部８、隙間１１をスペーサー６により２ｍｍ設け、厚み５ｍｍのポリカーボネイト製防護板部１に軽く接触する状態で刃物の柄１８の部分に５０ｃｍ離れた高さから重さ１ｋｇの鉄魂１９を落下させ突き刺し試験を行った。
上記突き刺し試験を夫々３回ずつ行い、その結果の平均を下記表１に示す。【００２０】
【表１】
2005090930.tif 000003
【００２１】  上記表１から分かるように、防護板１と刃物保持部８の空間があるため刃物１２の刃先１３の浸入角度が低い程隙間５に入りやすいのが認められる。
次に引き抜き試験について説明する。
［引き抜き試験］【００２２】  図６は上記表１で行われた突き刺し試験の角度の違いごとに刃物の柄１８の部分にバネ秤を取り付けて引き抜き抵抗を測定した。
この試験も夫々３回ずつ行い、その結果の平均を下記表２に示す。【００２３】
【表２】
2005090930.tif 000004
【００２４】  上記表２から分かるように浅い角度から隙間５に侵入した刃物１２は防護板１と刃物保持部８の間で刃物保持部８の金属を押し開きながら、つまり塑性変形させながら突き進もうとするため、新たに刃物を抜き取って再度攻撃を試みようとした場合に非常に大きな力を要することが分かった。【００２５】  又、マイナスドライバー１６を使用した試験においても、隙間用発泡ゴム１１を用いた試験においても同様の結果が得られた。【００２６】  なお、本発明は前記実施形態に限定されるものでなく、例えば以下のように、発明の趣旨から逸脱しない範囲で適宜変更して具体化することもできる。
（１）防護板を防弾性能もある素材に変更して防弾、防刃両方に対する防護楯にすること。
（２）曲面もしくは半球型の防護楯とすること。
（３）刃物保持部の形状、サイズ、隙間の間隔を適宜変更すること。
【図面の簡単な説明】
【００２７】
【図１】本発明の実施例１に係る防護楯を表す断面図。
【図２】本発明の実施例１に係る防護楯を表す斜視図。
【図３】本発明の防護楯の防護メカニズムを示した斜視図。
【図４】本発明の防護楯の防護メカニズムを示した断面図。
【図５】突き刺し試験装置を示す断面図。
【図６】引き抜き抵抗性試験を示す断面図。
【符号の説明】
【００２８】  １  防護板
２  持ち手
３  固定ビス
４  縁部持ち手
５  隙間
６  スペーサー
７  化粧ビス
８  刃物保持部
９  縁巻きゴム
１０  鏡面状フイルム
１１  隙間用発泡ゴム
１２  刃物
１３  刃先
１４  刃物保持部空間
１５  チャック
１６  ドライバー
１７  ホルダー
１８  柄
１９  鉄魂
２０  バネ秤
【図１】
2005090930.tif 000005
【図２】
2005090930.tif 000006
【図３】
2005090930.tif 000007
【図４】
2005090930.tif 000008
【図５】
2005090930.tif 000009
【図６】
2005090930.tif 000010